(57)【要約】    【課題】  より優先度の高い多値記録データを判別し、自動的に信頼性の高い多値記録データに変換する事で、データの信頼性向上を効率的に行うことを特徴とする映像撮像装置を提供する。    【解決手段】  ２値及びｎ値記録可能なメモリ（ｎは３以上の自然数）に記録する手段を持ち、２値及びｎ値記録を選択的に切り替える手段と、優先度を算出する算出手段と、前記算出手段で算出した結果を元に多値記録データを２値又はより多値度の小さいデータに変換するかを判断する判断手段を持つ装置において、ｎ値で記録した多値記録データが前記判断手段で多値記録データの多値を変換すると判断された前記ｎ値で記録した多値記録データに対して、ｎ>ｍ（ｍは自然数）の多値記録データに変換する。【選択図】    図１
2015014902.tif 000002
【特許請求の範囲】
【請求項１】
２値及びｎ値記録可能なメモリ（ｎは３以上の自然数）に記録する手段を持ち、２値及びｎ値記録を選択的に切り替える手段と、優先度を算出する算出手段と、前記算出手段で算出した結果を元に多値記録データを２値又はより多値度の小さいデータに変換するかを判断する判断手段を持つ装置において、ｎ値で記録した多値記録データが前記判断手段で多値記録データの多値を変換すると判断された前記ｎ値で記録した多値記録データに対して、ｎ>ｍ（ｍは自然数）の多値記録データに変換することを特徴とする映像撮像装置。
【請求項２】
前記優先度を算出する算出手段とは、画像認識手段又は、前記ｎ値で記録した多値記録データに対してユーザが操作した履歴を記録する手段又は、前記ｎ値で記録した多値記録データの記録後の経過時間・本体装置の保存温度を算出する手段又は、前記多値記録データの記録時の本体装置の温度を算出する手段のいずれかを用いて算出する事を特徴とする請求項１に記載の映像撮像装置。
【請求項３】
前記２値及びｎ値記録可能なメモリの残容量によって、ｎ>ｐ（pは自然数）の多値データに変換する変換値ｐを決定する事を特徴とする請求項１又は請求項２に記載の映像撮像装置。
【発明の詳細な説明】
【技術分野】
【０００１】
本発明は記録装置に関し、特に、２値メモリと多値メモリに対して映像データを記録する装置に関するものである。
【背景技術】
【０００２】
電子装置で使用するメモリの大容量化が急速が技術革新で進んでいる。近年ではNAND型のFLASHメモリがその代表であり、多値記録技術で記録可能なメモリが販売されている。多値記録とは、従来の1セルに1bit分のデータ格納が可能な方式(Single Leveling Cell(SLV))ではなく、1セルにnbit分(nは2以上の自然数)のデータ格納が可能な方式(Multi Leveling Cell(MLV))を用いることを示す。このような技術により、セルの大きさを変更する事無く、大容量化を可能にしている。一方で、多値記録により大容量化への対応は可能になっているが、その反面、メモリに記録したデータの信頼性の懸念がある。この信頼性とは、高い多値で記録すると保持経過時間等によって、記録データのエラー率が増加することを意味する。
【０００３】
多値記録に関する記録に関する先行事例として特許文献１では、複数の多値メモリアレイを有し、動作モード信号に応じて各メモリセルの多値レベルを変更して容量を設定すると言うものがある。また、特許文献２ではｍ値（ｍは２以上の自然数）のデータを記憶する第１のメモリセルと、前記第１のメモリセルに挟まれて配置され、ｎ値（ｎはｍより大きい自然数）のデータを記憶する第２のメモリセルとが、混在して並べられたメモリセルアレイにデータを書き込む際に、先に前記第１のメモリセルにデータを書き込んだ後に前記第２のメモリセルにデータを書き込むと言うものがある。
【先行技術文献】
【特許文献】
【０００４】
【特許文献１】特開平11-176178号公報
【特許文献２】特開2008-078528号公報
【発明の概要】
【発明が解決しようとする課題】
【０００５】
しかしながら、上記のいずれの従来例の方法では、一旦多値記録したデータはそのままメモリ内に保存する為、長期間保持した場合の読み出し時のエラー率が増加する可能性が高まり、データ保存の信頼性に問題が出る可能性がある。
【０００６】
本発明は、重要性の高いデータの信頼性向上を効率的に行うことを特徴とする映像撮像装置を提供する。
【課題を解決するための手段】
【０００７】
２値及びｎ値記録可能なメモリ（ｎは３以上の自然数）に記録する手段を持ち、２値及びｎ値記録を選択的に切り替える手段と、優先度を算出する算出手段と、前記算出手段で算出した結果を元に多値記録データを２値又はより多値度の小さいデータに変換するかを判断する判断手段を持つ装置において、ｎ値で記録した多値記録データが前記判断手段で多値記録データの多値を変換すると判断された前記ｎ値で記録した多値記録データに対して、ｎ>ｍ（ｍは自然数）の多値記録データに変換することを特徴とする映像撮像装置。
【発明の効果】
【０００８】
本発明によれば、より優先度の高い多値記録データを判別し、自動的に信頼性の高い多値記録データに変換する事で、データの信頼性向上を効率的に行うことを特徴とする映像撮像装置を提供する。
【図面の簡単な説明】
【０００９】
【図１】映像記録装置のブロック図である。
【図２】実施例１の動作フローチャートである。
【図３】実施例１の動作説明図である。
【図４】実施例２における電圧閾値を示す図である。
【発明を実施するための形態】
【００１０】
［実施例１］
以下に、本発明の好ましい実施の形態を、添付の図面に基づいて詳細に説明する。図１は、本発明の実施形態にかかわるブロック図である。
【００１１】
この映像撮像装置は、動作モードとして被写体を撮影しユーザーによる所定の指定操作（例えば、トリガースイッチ８０が押される）により、撮像された動画像を記録媒体に記録するための記録モードと記録された動画像を再生するための再生モードを備えている。また、本発明で記録する記録データは、1セルにnbit分(nは2以上の自然数)のデータ格納が可能な方式(Multi Leveling Cell(MLV))を用いて記録することを示す(以降、多値記録)。
【００１２】
図１において、１は本発明を実施するための映像撮像装置本体である。１０は、映像撮像装置の動作を制御するマイクロプロセッサである。１１は、マイクロプロセッサ１０と接続されたシステム用メモリーであり、本発明のプログラム、撮影記録再生動作を実行するプログラム及びメタデータが格納されている。ここで述べるメタデータとは、ユーザーが登録した名前、画像等の個人・動物を特定するユーザー情報や、記録データの記録条件情報や保存状態等を示す。
【００１３】
２０は撮像レンズである。３０は撮像レンズ２０からの光学像を電気信号に変換する映像センサーである。４０は、映像センサー３０から出力される電気信号を画像データに変換処理及び制御するための画像処理・制御回路である。５０は、画像処理・制御回路４０で処理された画像データを順次データ圧縮・伸長するための回路ブロックである。
【００１４】
１２はマイクロプロセッサ１０内の信号伝送ラインであり、マイクロプロセッサ１０内の信号伝送と、マイクロプロセッサ１０と画像処理・制御回路４０又データ圧縮・伸長するための回路ブロック５０との間で映像信号の送受信を行うものである。
【００１５】
６０は記録媒体に動画像データを記録または再生するための制御を行うための制御ブロックである。
【００１６】
２値及びｎ値記録の選択的に切り替えもこの制御ブロックで行い説明は後述する。記憶媒体６１は、データ圧縮・伸長回路５０で処理された動画像データを記録するためのものである。この記録媒体６１は半導体メモリー等であり、多値記録する事ができるもの全般を示す。この記録媒体６１には多値記録した記録データも保存する。７０は、２０によって撮像された動画像や１０のプログラムの実行状態に応じた動作状態やメッセージなどを文字及び画像にて表示するための表示装置である。なお、表示装置７０は、必ずしも本装置に備えるものではなく図示していない本装置に備えられた外部出力端子を経由して接続された外部表示装置でもよい。
【００１７】
次に８０は、使用者が開始もしくは、停止するためのトリガースイッチである。８１は電源ON・OFFスイッチあり、映像撮像装置１を起動・停止する際に使用するスイッチである。８２は、映像撮像装置１の動作モードを記録モードか再生モードで動作させるかを選択するための動作モード切替えスイッチである。
【００１８】
なお、上記トリガースイッチ８０、電源ON・OFFスイッチ８１、動作モード切替えスイッチ８２は、スイッチではなく、メニューに含んでＫＥＹ入力操作するとしてもよい。そして、トリガースイッチ８０、電源ON・OFFスイッチ８１、動作モード切替えスイッチ８２スイッチによる設定は、マイクロプロセッサ１０内のＫＥＹ処理部８３にて判断・処理される。
【００１９】
次に上記マイクロプロセッサ１０内で処理させる記録動作フローについて説明する。図２は、  本発明を実行する映像撮像装置における操作フローの一例である。
【００２０】
ユーザーが電源ON・OFFスイッチ８１を電源OFFに設定し、電源OFFモードであるかを判断する(S01)。判断条件S01がYESの場合、電源ON・OFFスイッチ８１がOFFの状態であるため、処理02を実行する。処理S02は多値記録データの電源OFF時の経過時間と映像撮像装置本体１の平均温度をマイクロプロセッサ１０で算出する。条件判断S01がYESの間は、処理S02を繰り返し実行する。条件判断S01のNOの場合、ユーザーが電源ON・OFFスイッチ８１を電源ONに設定したとマイクロプロセッサ１０で判断し、本体装置を起動する。次に動作モード切替えスイッチ８２の設定を確認する。
【００２１】
ユーザーが記録モードに設定した場合、条件判断S04がYESとなり、記録モードへ移行する。これで、図示しない各種回路を撮影準備状態にして、被写体の撮影が可能な状態にする。トリガースイッチ８０を押して記録を開始する(S05)。記録媒体６１に多値記録でデータを保存する(S06)。この時の多値記録はｍ値以上（ｍは３以上の自然数）とする。再びトリガースイッチ８０が押されるまで、記録を継続して行う(条件判断S07がNO)。次に、トリガースイッチ８０が押されると(条件判断S07がYES)、記録を停止する。上述したように、多値記録データは保存時間によって、データのエラー率が低下する。
【００２２】
このため、多値記録データを記録媒体６１に保存した時点からの経過時間をマイクロプロセッサ１０で算出し始める(S08)。次に、処理S06で保存した多値記録データの記録中の本体温度の最大値・平均値を、保存した多値記録データと関連づけてシステム用メモリ１１にメタデータを保存する。処理13以降のフローは、処理S10から処理S11の説明後に後述する。
【００２３】
ユーザーが動作モード切替えスイッチ８２の設定を再生モードに設定した場合、条件判断S04がNOとなり、再生モードへ移行する。再生モードでは、多値記録データに対してどのような操作をしたかの履歴を記録する(S11)。ここで言う操作とは、例えば、再生操作、ユーザが任意で再生リストを作成する、動画から静止画を切り出す等の操作を示す。このような操作をした場合、再生操作の場合は再生回数を、ユーザが任意でプレイリストを作成する又は、動画から静止画を切り出す場合はフラグを付加し、システム用メモリ１１内の各々に関連付けられているメタデータを書き換える。
【００２４】
次に、処理S12以降のフロー説明をする。処理S12は記録媒体６１に保存した多値記録データとシステムメモリに保存した個人(動物)を特定する情報メタデータをマイクロプロセッサ１０で比較する。例えば、人物を特定する際に顔情報を登録した場合、多値記録データに登録してある人物が含まれているかを確認し、一致した人数をメタデータとして書き換える。この場合、個人を特定する情報としては、目、顔の輪郭、肌の色、目・鼻・口・耳等のバランス、髪型、服装、声等を示す。このフローでは処理S13を個人情報を特定するメタデータの変更の有無に関わらず行っているが、個人情報と特定するメタデータが変更した場合のみ、処理を行うとしてもよい。
【００２５】
次に処理S13では処理S03、処理S06、処理S11、処理S12で変更したメタデータを基にして優先度を算出する。例えば、図3のように各項目毎にテーブルを作成しておき、各項目の合計点を求めるとする。３０１は再生回数で再生回数が多いほど重要である。３０２は人物認識で検出された人物が多いほど重要である。３０３はプレイリストへの追加の有無である。プレイリストは時に気に入っている多値記録データを専用リストとして作成するため、リストへ追加された多値記録データは重要である。３０４は動画から静止画を切り出したかの有無である。
【００２６】
静止画として別にデータを保存する作業を行っているため、元となる多値記録データは重要である。３０５は記録時の本体装置1の内部温度であり、３０６は記録後の経過年月、２０７保存温度である。各々が記録データのエラー率に影響を及ぼすので重要である。
【００２７】
ある多値記録データαのメタデータ情報が、後述の（１）−（７）の結果であった場合、ファイルαの優先度は
ファイルα=(A2+B1+C2+D1+E2+F1+G2)点となる。
（１）再生回数：5回(A2点)、（２）人物認識：１人(B1点)、（３）プレイリストへの追加：NO(C2点)、（４）動画から静止画を切り出しているかYES(D1点)、（５）記録温度：25℃(E2点)、（６）記録後の経過年月：1年以下(F1点)、（７）保存温度：24℃(G2)。
【００２８】
このような操作を多値記録した全てのデータで実施し、各多値記録データに対してマイクロプロセッサ１０で計算し優先度を求める。次に優先度の高いデータから多値記録データの変換の有無を決める閾値を超えているかをマイクロプロセッサ１０で判断する(S14)。条件判断S14がNOの場合はそのまま終了する。条件判断S14がYESの場合、ｎ値以上（ｎは３以上の自然数）で記録した多値データをｍ値データ(ｎ>ｍ：ｍは自然数)へ変換する作業を行う。多値記録の切り替えは記録媒体制御部６１から記録媒体６０に対して対象となる多値記録データと変換後に何値で記録するかを通信する。記録媒体６０は通信内容に基づいて変換を実施する(S15)。変換後作業を終了する。
【００２９】
以上が本体装置の優先度を算出し、優先度が高く且つ、多値記録データの変換の有無を決める閾値を超えた多値記録データをより多値の低いデータへ変換する動作の説明である。本実施例の様に、一度、高い多値で記録してしまったデータもより重要であると判断した場合は、信頼性の高いデータへ変換する事が出来、データ保持の向上が可能になる。
【００３０】
［実施例２］
実施例１との差分を説明する。実施例１では図２の処理S15では、ｎ値以上（ｎは３以上の自然数）で記録した多値データをｍ値データ(ｎ>ｍ：ｍは自然数)へ変換して保存すると述べた。
【００３１】
しかし、記録媒体６１の残容量によっては、ｎ値以上（ｎは３以上の自然数）で記録した多値データをｍ値データ(ｎ>ｍ：ｍは自然数)へ変換する事が出来ない場合がある。例えば、図４のように、元データが4値で記録したデータであった場合、データを判別する閾値は３つ設け、4個のデータを格納できる。一方、データを2値に変換すると判別する閾値は１つになり、２個のデータが格納できる。よって、４値→２値に変換する事でメモリ領域は２倍必要になる。
【００３２】
変換作業中に、記録媒体の容量不足が発生する事を防ぐ為にも、記録媒体の残容量を確認して何値値に変換するかを決定する事が重要となる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。特に、デジタルビデオカメラに本発明を実施することを詳述してきたが、デジタルビデオカメラに限らず、この多値記憶を実現できるメモリを使用しているすべての機器に実施できる。将来は２値記憶領域だけでもモバイル機器にとっては十分な容量となる可能性も高く、多値記憶技術との好適な切り替え機能を充実しておくことが望ましいと考える。
【符号の説明】
【００３４】
１０  マイクロプロセッサ（ＣＰＵ）
６０  記録媒体制御部
６１  記録媒体
【図１】
2015014902.tif 000003
【図２】
2015014902.tif 000004
【図３】
2015014902.tif 000005
【図４】
2015014902.tif 000006